(57)【要約】【課題】スプリンクラーヘッド部近傍における停滞水が発生しないスプリンクラー装置を提供する。【解決手段】スプリンクラー装置１００は、スプリンクラーヘッド部１と、スプリンクラーヘッド部１及び二本の給水管１５ａ，１５ｂに接続可能な略Ｙ字形状の分岐継手１３と、を備えている。分岐継手１３は、一方の給水管１５ａから水を流入させる流入部１３ａと、他方の給水管１５ｂへ水を流出させる流出部１３ｂと、スプリンクラーヘッド部１へ水を流出させるスプリンクラー流出部１３ｃと、流入部１３ａより流入した水が流出部１３ｂ及びスプリンクラー流出部１３ｃへ分岐する分岐部１３ｄと、を有している。流入部１３ａの水の流れ方向Ｗ１に対する断面積は分岐部１３ｄに向かって減少し、流出部１３ｂの水の流れ方向Ｗ２に対する断面積は給水管１３ｂに向かって増大している。【選択図】図１
2010075398.tif 000002
【特許請求の範囲】
【請求項１】
スプリンクラーヘッド部と、前記スプリンクラーヘッド部及び二本の給水管に接続可能な略Ｙ字形状の分岐継手と、を備え、天井裏に配置されるスプリンクラー装置であって、
前記分岐継手は、前記一方の給水管から水が流入する流入部と、前記他方の給水管に水が流出する流出部と、前記スプリンクラーヘッド部に水が流出するスプリンクラー流出部と、前記流入部より流入した水が前記流出部及び前記スプリンクラー流出部に分岐する分岐部とを有し、
前記流入部の水の流れ方向に対する断面積は前記分岐部に向かって減少し、前記流出部の水の流れ方向に対する断面積は前記他方の給水管に向かって増大していることを特徴とするスプリンクラー装置。
【請求項２】
前記流入部及び前記流出部を、水の流れ方向に対して、上側流入部と下側流入部、上側流出部と下側流出部としたとき、
前記上側流入部の水の流れ方向に対する断面積が前記分岐部に向かって減少し、前記上側流出部の水の流れ方向に対する断面積が前記他方の給水管に向かって増大していることを特徴とする請求項１に記載のスプリンクラー装置。
【請求項３】
前記スプリンクラー流出部の外周面に雄ネジ部を設けたことを特徴とする請求項１または２に記載のスプリンクラー装置。
【請求項４】
前記分岐継手の前記分岐部の上側に固定用ネジ部を設けたことを特徴とする請求項１〜３の何れかに記載のスプリンクラー装置。
【請求項５】
前記流入部及び前記流出部の開口部をその軸心が水平方向に対して傾斜した状態で、且つ、前記流入部及び前記流出部の開口部が前記分岐部より上側に位置する状態に設けた請求項１〜４の何れかに記載のスプリンクラー装置。
【発明の詳細な説明】
【技術分野】
【０００１】
本発明は、給水源である上水道に連結され水道水供給圧を利用して水を噴射するスプリンクラー装置に関する。
【背景技術】
【０００２】
火災を自動的に検出して天井等から散水するスプリンクラー装置のうち、上水道に連結して水道水供給圧を利用して水を噴射する方式のスプリンクラー装置においては、水道配管の途中部分（分岐継手部分）にスプリンクラーヘッドが取り付けられているため、スプリンクラーヘッド近傍に、所謂「死に水」と呼ばれる停滞水が発生することがある。
【０００３】
水道配管の途中に配置されたスプリンクラー装置内にこのような停滞水が発生すると、上水道して使用することができなくなるため、停滞水の防止は極めて重要な課題である。そこで、停滞水の発生を防止する機能を有する分岐継手を用いたスプリンクラー装置が提案されている（例えば、特許文献１，２参照。）。
【０００４】
引用文献１記載のスプリンクラー装置（消火用散水装置）においては分岐継手部分が屈曲管で形成され、引用文献２記載のスプリンクラー装置（スプリンクラーヘッド用分岐継手）においては、略Ｙ字状の分岐継手が用いられている。そして、これらの分岐継手内を流動する水道水で水道水ヘッド接続口付近に渦流を発生させることによって停滞水の発生を防止している。
【０００５】
【特許文献１】特開平２−２３９８７７号公報
【特許文献２】特開平５−１５６１４号公報
【発明の開示】
【発明が解決しようとする課題】
【０００６】
特許文献１，２記載のスプリンクラー装置においては、屈曲形状あるいは略Ｙ字形状の分岐継手内に発生する渦流により停滞水を抑制することはできるが、スプリンクラーヘッド部近傍における停滞水の発生を完全に無くすことができないのが実状である。
【０００７】
本発明が解決しようとする課題は、スプリンクラーヘッド部近傍に停滞水が発生しないスプリンクラー装置を提供することにある。
【課題を解決するための手段】
【０００８】
本発明のスプリンクラー装置は、スプリンクラーヘッド部と、前記スプリンクラーヘッド部及び二本の給水管に接続可能な略Ｙ字形状の分岐継手と、を備え、天井裏に配置されるスプリンクラー装置であって、
前記分岐継手は、前記一方の給水管から水が流入する流入部と、前記他方の給水管に水が流出する流出部と、前記スプリンクラーヘッド部に水が流出するスプリンクラー流出部と、前記流入部より流入した水が前記流出部及び前記スプリンクラー流出部に分岐する分岐部とを有し、
前記流入部の水の流れ方向に対する断面積は前記分岐部に向かって減少し、前記流出部の水の流れ方向に対する断面積は前記他方の給水管に向かって増大していることを特徴とする。
【０００９】
このような構成において、流入部の断面積は分岐部に向かって減少し、且つ流出部の断面積が分岐部から給水管に向かって増大していることにより、断面積が分岐部に向かって減少した流入部から入ってきた水は、停滞水を防止するための渦流を発生させるのに十分な水量及び流速となって、スプリンクラー流出部に流入するようになるため、スプリンクラー流出部に過流が発生し、スプリンクラー流出部の停滞水をなくすことができる。
【００１０】
ここで、前記流入部及び前記流出部を、水の流れ方向に対して、上側流入部と下側流入部、上側流出部と下側流出部としたとき、
前記上側流入部の水の流れ方向に対する断面積が前記分岐部に向かって減少し、前記上側流出部の水の流れ方向に対する断面積が前記他方の給水管に向かって増大していることが望ましい。
【００１１】
このような構成とすれば、流入部と流出部の上側の流れ方向に対する断面積が変化した状態となるため、流入部の水の流速が上がり、さらに、断面積を変化させるための突起を上側に設けることにより、スプリンクラー流出部への水の流れを誘導する効果が発生するため、さらに過流が発生し易くなり、スプリンクラー流出部の停滞水を無くす上で有効である。
【００１２】
また、前記スプリンクラー流出部の外周面に雄ネジ部を設けることが望ましい。このような構成とすれば、当該スプリンクラー装置の設置場所である天井部またはその構成部材に前記雄ネジ部と螺合する雌ネジ部を設けたスプリンクラー固定部材を設置することにより、高さ調整可能な状態で設置することができる。
【００１３】
一方、スプリンクラー流出部の内周面に雄ネジ部などを設けて高さ調整を行う構成とした場合、スプリンクラー流出部に雄ネジ部などの凹凸を形成する必要があるのに対し、スプリンクラー流出部の外周面に雄ネジ部を設けた場合、雄ネジ部などの凹凸を内周面に形成する必要がなくなるので、内周面を、より凹凸のない流線構造とすることができる。このため、比較的少ない流入量であっても停滞水防止に必要な渦流を発生させることができる。さらに、スプリンクラー流出部の内周面に凹凸がなくなれば、分岐継手の箇所での通水圧損が少なくなるため、低水圧地域において、スプリンクラー装置からの散水に必要な水圧の不足を補うための付帯設備増加の可能性が減少し、比較的低コストでのスプリンクラー設置が可能となる。
【００１４】
さらに、前記分岐継手の前記分岐部の上側に固定用ネジ部を設けることが望ましい。このような構成とすれば、分岐部の上側に設けられた固定用ネジ部に任意の吊り具を螺着することにより、当該スプリンクラー装置を天井部分の梁などから吊り下げる形で設置することができるようになるため、より多様な設置工法に対応することができる。
【００１５】
一方、前記流入部及び前記流出部の開口部をその軸心が水平方向に対して傾斜した状態で、且つ、前記流入部及び前記流出部の開口部が前記分岐部より上側に位置する状態に設けることが望ましい。このような構成とすれば、スプリンクラー装置より上方に配管されることの多い水道管との接続が容易となり、前記開口部と水道管との接続部分の屈曲を無くすことができるため圧損も減少する。
【発明の効果】
【００１６】
本発明により、スプリンクラーヘッド部近傍に停滞水が発生しないスプリンクラー装置を提供するスプリンクラー装置を提供することができる。
【発明を実施するための最良の形態】
【００１７】
以下、図面に基づいて本発明の実施の形態について説明する。図１は本発明の実施の形態であるスプリンクラー装置を示す垂直断面図、図２は図１に示すスプリンクラー装置の拡大図、図３は図２に示すスプリンクラー装置を構成する分岐継手の正面図、図４は図３に示す分岐継手の平面図、図５は図３に示す分岐継手の側面図である。また、図６は図１に示すスプリンクラー装置の設置工事が完了した後の状態を示す垂直断面図である。
【００１８】
図１，図２に示すように、本実施形態のスプリンクラー装置１００は、スプリンクラーヘッド部１と、スプリンクラーヘッド部１及び二本の給水管１５ａ，１５ｂに接続可能な略Ｙ字形状の分岐継手１３と、を備え、天井面３の裏側に配置される。分岐継手１３は、一方の給水管１５ａから水を流入させるための流入部１３ａと、他方の給水管１５ｂへ水を流出させるための流出部１３ｂと、スプリンクラーヘッド部１へ水を流出させるためのスプリンクラー流出部１３ｃと、流入部１３ａより流入した水が流出部１３ｂ方向及びスプリンクラー流出部１３ｃ方向へ分岐する分岐部１３ｄとを有している。
【００１９】
図１に示すように、天井面３の裏面に断面Ｌ字状の取付板４で固定された２本の平行な野縁５の間に、当該野縁５と直交する方向に２本の角バー７がクリップ６を介して着脱可能に取り付けられ、これらの角バー７を横架するように装着された台座９にスプリンクラー装置１００が固定されている。スプリンクラー装置１００を構成する分岐継手１３のスプリンクラー流出部１３ｃの外周が、台座９に開設された取付孔９ａを貫通するように配置され、取付孔９ａの上下に配置された止めリング１０、ロックナット８をスプリンクラー流出部１３ｃの外周面の雄ネジ部１３ｍに螺着させ、止めリング１０及びロックナット８によって台座９を挟むように締め付けられている。
【００２０】
また、天井面３に円形の開口部３ａが開設され、この開口部３ａに、取付板１１を介して円板状のボード１６が取り付けられ、分岐継手１３のスプリンクラー流出部１３ｃに取り付けられたスプリンクラーヘッド１は、ボード１６の中央に開設された開口部６ａを貫通して室内側へ露出した状態に保たれている。開口部３ａとボード１６の外周との隙間を覆うように、リング状のカバー２が天井面３の下面に装着されている。そして、一方の取付板１１とスプリンクラーヘッド１とを繋ぐ玉鎖１２が設けられている。
【００２１】
図２に示すように、流入部１３ａの水の流れ方向Ｗ１に対する当該流入部１３ａの断面積は分岐部１３ｄに向かって減少し、流出部１３ｂの水の流れ方向Ｗ２に対する当該流出部１３ｂの断面積は他方の給水管１５ｂに向かって増大するように形成されている。ここで、前記断面積とは、水の流れ方向Ｗ１，Ｗ２と直交する横断面の面積をいう。
【００２２】
具体的には、スプリンクラー流出部１３ｃ上方の分岐部１３ｄ直上に位置する分岐継手１３内面に分岐部１３ｄに向かって垂下した滑らかな突起２３を設けることにより、流入部１３ａ及び流出部１３ｂを各々の軸心を境界にして、それぞれの水の流れ方向Ｗ１，Ｗ２に対して、上側流入部１３ａｕと下側流入部１３ａｄ、上側流出部１３ｂｕと下側流出部１３ｂｄとに区画したとき、上側流入部１３ａｕの水の流れ方向Ｗ１に対する断面積が分岐部１３ｄに向かって減少し、上側流出部１３ｂｕの水の流れ方向Ｗ２に対する断面積が他方の給水管１５ｂに向かって増大するように構成されている。
【００２３】
これにより、流入部１３ａの断面積は分岐部１３ｄに向かって減少し、且つ流出部１３ｂの断面積は分岐部１３ｄから給水管１５ｂに向かって増大した形状となる結果、断面積が分岐部１３ｄに向かって減少した流入部１３ａから入ってきた水は、停滞水を防止するための渦流を発生させるに十分な水量及び流速となって、スプリンクラー流出部１３ｃに流入するようになるため、スプリンクラー流出部１３ｃ内に過流Ｔが発生し、スプリンクラー流出部１３ｃの停滞水をなくすことができる。
【００２４】
また、分岐部１３ｄに向かって垂下した滑らかな突起２３を設けることにより、上側流入部１３ａｕの断面積を分岐部１３ｄに向かって減少させ、上側流出部１３ｂｕの断面積を給水管１５ｂに向かって増大するように構成したことにより、流入部１３ａと流出部１３ｂの上側の水の流れ方向に対する断面積が変化した状態となるため、過流Ｔが発生し易く、スプリンクラー流出部１３ｃの停滞水を無くす上で有効である。
【００２５】
さらに、スプリンクラー流出部１３ｃの外周面に雄ネジ部１３ｍが設けられているため、雄ネジ部１３ｍに螺合する止めリング１０及びロックナット８の螺着位置を変更することにより台座９に対する固定位置を変更することができる。即ち、スプリンクラー装置１００全体を高さ調整可能な状態で設置することができる。
【００２６】
一方、図３〜図５に示すように、流入部１３ａ及び流出部１３ｂの開口部２５ａ，２５ｂをそれぞれの軸心２５ａｃ，２５ｂｃが水平方向に対して斜めに傾斜した状態に設けている。従って、図１に示すように、スプリンクラー装置１００より上方に配管されることの多い水道管（給水管１５ａ，１５ｂ）との接続が容易となり、開口部２５ａ，２５ｂと水道管（給水管１５ａ，１５ｂ）との接続部分の屈曲を無くすことができるため圧損も減少する。
【００２７】
また、図６に示すように、分岐継手１３の分岐部１３ｄの上側に設けられた固定用ネジ部２４を、屋根や上階スラブに固定した雄ねじ状の吊り具２０に螺着することにより、前述した台座９を用いることなく当該スプリンクラー装置１００を天井面３部分に設置することができるようになるため、多様な設置工法に対応することができる。また、夏季の結露発生及び冬季の凍結などを防止するため、開口部２５ａ，２５ｂ及び給水管１５ａ，１５ｂの外周を断熱材２６で覆うこともできる。
【００２８】
次に、図７，図８に基づいて、分岐継手に関するその他の実施形態について説明する。図７は分岐継手に関するその他の実施の形態を示す垂直断面図、図８は分岐継手に関するその他の実施の形態を示す垂直断面図である。なお、図１〜図６に示す分岐継手１３の構成部分と同じ構造、機能などを有する部分は同じ符号を付して説明を省略する。
【００２９】
図７に示す分岐継手３０においては、流入部１３ａ内面とスプリンクラー流出部１３ｃ内面との境界部、流出部１３ｂ内面とスプリンクラー流出部１３ｃ内面との境界部にそれぞれ分岐部１３ｄに向かって滑らかに突出した突起３１が設けられている。つまり、下側流入部１３ａｄの水の流れ方向Ｗ１に対する断面積が分岐部１３ｄに向かって減少し、下側流出部１３ｂｄの水の流れ方向Ｗ２に対する断面積が他方の給水管１５ｂに向かって増大するように構成されている。このような構成とすれば、下側流入部１３ａｄの水の流れ方向Ｗ１に対する断面積が分岐部１３ｄに向かって減少し、下側流出部１３ｂｄの水の流れ方向Ｗ２に対する断面積が給水管１５ｂに向かって増大した状態となる。
【００３０】
従って、前述した分岐継手１３（図２参照）の場合と同様、断面積が分岐部１３ｄに向かって減少した流入部１３ａから入ってきた水は、停滞水を防止するための渦流を発生させるに十分な水量及び流速となって、スプリンクラー流出部１３ｃに流入するようになるため、スプリンクラー流出部１３ｃ内に過流が発生し、スプリンクラー流出部１３ｃの停滞水をなくすことができる。
【００３１】
図８に示す分岐継手４０においては、図２に示す分岐継手１３と同様の突起２３及び図７に示す分岐継手３１と同様の突起３１が設けられている。つまり、上側流入部１３ａｕと下側流入部１３ａｄの水の流れ方向Ｗ１に対する断面積が、分岐部１３ｄに向かって減少し、上側流出部１３ｂｕと下側流出部１３ｂｄの水の流れ方向Ｗ２に対する断面積が、他方の給水管１５ｂに向かって増大するように構成されている。このような構成とすれば、流入部１３ａの水の流れ方向Ｗ１に対する断面積が分岐部１３ｄに向かって急激に減少し、流出部１３ｂの水の流れ方向Ｗ２に対する断面積が給水管１５ｂに向かって急激に増大した状態となる。このため、スプリンクラー流出部１３ｃ内に過流が発生し易くなり、スプリンクラー流出部１３ｃの停滞水を無くす上で有効である。
【産業上の利用可能性】
【００３２】
本発明のスプリンクラー装置は、オフィスビル、工場、映画館、デパートなどの建築物において広く利用することができる。
【図面の簡単な説明】
【００３３】
【図１】本発明の実施の形態であるスプリンクラー装置を示す垂直断面図である。
【図２】図１に示すスプリンクラー装置付近の一部省略拡大図である。
【図３】図２に示すスプリンクラー装置を構成する分岐継手の正面図である。
【図４】図３に示す分岐継手の平面図である。
【図５】図３に示す分岐継手の側面図である。
【図６】図１に示すスプリンクラー装置の設置工事が完了した後の状態を示す垂直断面図である。
【図７】分岐継手に関するその他の実施の形態を示す垂直断面図である。
【図８】分岐継手に関するその他の実施の形態を示す垂直断面図である。
【符号の説明】
【００３４】
１  スプリンクラーヘッド
２  カバー
３  天井面
３ａ，６ａ，２５ａ，２５ｂ  開口部
４  取付板
５  野縁
６  クリップ
７  角バー
８  ロックナット
９  台座
９ａ  取付孔
１０  止めリング
１１  取付板
１２  玉鎖
１３，３０  分岐継手
１３ａ  流入部
１３ｂ  流出部
１３ｃ  スプリンクラー流出部
１３ｄ  分岐部
１３ａｕ  上側流入部
１３ａｄ  下側流入部
１３ｂｕ  上側流出部
１３ｂｄ  下側流出部
１３ｍ  雄ネジ部
１４  継手
１５ａ，１５ｂ  給水管
１６  ボード
２０  吊り具
２３，３１  突起
２４  固定用ネジ部
２５ａｃ，２５ｂｃ  軸心
２６  断熱材
１００  スプリンクラー装置
Ｔ  渦流
Ｗ１，Ｗ２  水の流れ方向
【図１】
2010075398.tif 000003
【図２】
2010075398.tif 000004
【図３】
2010075398.tif 000005
【図４】
2010075398.tif 000006
【図５】
2010075398.tif 000007
【図６】
2010075398.tif 000008
【図７】
2010075398.tif 000009
【図８】
2010075398.tif 000010